(57)【要約】【課題】装置内部の騒音源から多方向に向かって拡散する騒音が装置外部に透過することを抑制できる記録装置を提供する。【解決手段】プリンター１１は、記録用紙Ｐに記録を施す際に騒音を発生する騒音源と、当該騒音源を内部に収容した本体ケース１２と、を備え、当該本体ケース１２内において前記騒音源を包囲する位置となる複数箇所には前記騒音源の収容空間部とは別に独立した複数の部分空間部１８が各々設けられ、当該複数の部分空間部１８内に遮音材として機能するインクカートリッジ２３が配設される。【選択図】図２
2011167887.tif 000002
【特許請求の範囲】
【請求項１】
記録媒体に記録を施す際に騒音を発生する騒音源と、
当該騒音源を内部に収容した本体ケースと、を備え、
当該本体ケース内において前記騒音源を包囲する位置となる複数箇所には前記騒音源の収容空間部とは別に独立した複数の部分空間部が各々設けられ、当該複数の部分空間部内に遮音材が配設される
ことを特徴とする記録装置。
【請求項２】
前記部分空間部は、前記遮音材を前記本体ケースの外面側から挿脱可能とする挿脱口と、当該挿脱口に前記遮音材を挿入させた場合に前記挿脱口を密閉状態にする密閉手段とを備えるとともに、前記本体ケース内において当該部分空間部を前記騒音源の収容空間部とは別に仕切り形成する仕切り部には、前記部分空間部を共鳴空間に構成するために前記収容空間部と前記部分空間部とを連通する連通孔が形成されている
ことを特徴とする請求項１に記載の記録装置。
【請求項３】
前記密閉手段は、前記挿脱口に対して開閉可能に設けられた開閉扉又は前記挿脱口と該挿脱口に挿入された状態にある前記遮音材との間の隙間を封止するように前記挿脱口に対して環装されるシール部材である
ことを特徴とする請求項２に記載の記録装置。
【請求項４】
前記連通孔の開口を覆蓋する多孔質材からなる吸音材をさらに備えた
ことを特徴とする請求項２又は請求項３に記載の記録装置。
【請求項５】
前記遮音材は内部に液体を収容した予備の液体収容体又は廃液として排出された液体を回収可能な予備の廃液回収体である
ことを特徴とする請求項１〜請求項４の何れか一項に記載の記録装置。
【発明の詳細な説明】
【技術分野】
【０００１】
本発明は、例えばインクジェット式プリンターなどの記録装置に関する。
【背景技術】
【０００２】
従来から、記録媒体に対して液体を付着させて記録処理を施す記録装置の一つとして、例えば特許文献１に記載の記録装置が知られている。こうした記録装置においては、例えば記録用紙の搬送機構や記録機構などが作動時に騒音を発生するため、様々な騒音抑制策が施されている。
【０００３】
すなわち、特許文献１の記録装置では、本体ケースと該本体ケースの開口部を覆うカバーとの間に形成されるケース外空間（カバーの裏面側空間）に吸音材を配置すると共に、そのケース外空間と本体ケースの内部空間とを連通する複数の連通穴を本体ケースに形成している。そして、本体ケースの内部空間に収容された搬送機構等の騒音源で騒音が発生した場合には、その騒音が連通穴を介してケース外空間に導かれると共に吸音材により減音されることで、騒音を低減することができるようになっていた。
【先行技術文献】
【特許文献】
【０００４】
【特許文献１】特開平５−２５４２１４号公報
【発明の概要】
【発明が解決しようとする課題】
【０００５】
ところで、特許文献１の記録装置では、本体ケース内の騒音源からカバーの裏面側空間となるケース外空間へと一方向に向かう騒音のみが低減される。しかしながら、本体ケース内で発生した騒音は、一方向だけでなく多方向に向かって拡散する。そのため、本体ケースにおいてカバーにより覆われた部分以外の場所から騒音が記録装置の外部へ透過する虞があった。
【０００６】
本発明は、上記問題点に鑑みてなされたものであり、その目的は、装置内部の騒音源から多方向に向かって拡散する騒音が装置外部に透過することを抑制できる記録装置を提供することにある。
【課題を解決するための手段】
【０００７】
上記目的を達成するために、本発明の液体噴射装置は、記録媒体に記録を施す際に騒音を発生する騒音源と、当該騒音源を内部に収容した本体ケースと、を備え、当該本体ケース内において前記騒音源を包囲する位置となる複数箇所には前記騒音源の収容空間部とは別に独立した複数の部分空間部が各々設けられ、当該複数の部分空間部内に遮音材が配設される。
【０００８】
この構成によれば、装置内部の騒音源から多方向に向かって拡散する騒音が装置外部に透過することを、その装置内部において騒音源を包囲するように設けられた複数の部分空間部内に配設された遮音材により抑制できる。
【０００９】
また、本発明の液体噴射装置において、前記部分空間部は、前記遮音材を前記本体ケースの外面側から挿脱可能とする挿脱口と、当該挿脱口に前記遮音材を挿入させた場合に前記挿脱口を密閉状態にする密閉手段とを備えるとともに、前記本体ケース内において当該部分空間部を前記騒音源の収容空間部とは別に仕切り形成する仕切り部には、前記部分空間部を共鳴空間に構成するために前記収容空間部と前記部分空間部とを連通する連通孔が形成されている。
【００１０】
この構成によれば、騒音源から多方向に向かって拡散した騒音を、騒音源を囲むように形成された部分空間部で構成される共鳴空間により効果的に減音することができる。したがって、効果的に騒音を低減することができる。
【００１１】
また、本発明の液体噴射装置において、前記密閉手段は、前記挿脱口に対して開閉可能に設けられた開閉扉又は前記挿脱口と該挿脱口に挿入された状態にある前記遮音材との間の隙間を封止するように前記挿脱口に対して環装されるシール部材である。
【００１２】
密閉手段が開閉扉である場合には、遮音材が挿脱口に挿入されていない場合においても挿脱口から本体ケース内に埃などが進入するのを抑制できる。また、密閉手段がシール部材である場合には、遮音材の挿入により簡便に挿脱口を密閉することができる。
【００１３】
また、本発明の液体噴射装置は、前記連通孔の開口を覆蓋する多孔質材からなる吸音材をさらに備えた。
この構成によれば、多孔質材からなる吸音材により記録装置内で発生した騒音が連通孔を通過するときに全周波数領域の騒音が吸音される。したがって、特定周波数付近以外の騒音を効果的に低減することができる。
【００１４】
また、本発明の液体噴射装置において、前記遮音材は内部に液体を収容した予備の液体収容体又は廃液として排出された液体を回収可能な予備の廃液回収体である。
この構成によれば、騒音を遮音するための遮音材を既存の予備の液体収容体又は予備の廃液回収体にて兼用できるので、部品数の増加が必要でなくなる。したがって、装置の大型化を抑制しつつ、騒音を低減することができる。
【図面の簡単な説明】
【００１５】
【図１】実施形態のプリンターの概略斜視図。
【図２】プリンターの概略平面図。
【図３】プリンターの概略正断面図。
【発明を実施するための形態】
【００１６】
以下、本発明を記録装置の一種であるインクジェット式プリンター（以下、「プリンター」と略記する。）に具体化した実施形態を図１〜図３に従って説明する。なお、以下の説明において、「前後方向」、「左右方向」、「上下方向」をいう場合は、各図中に矢印で示した方向を基準として示すものである。
【００１７】
図１に示すように、本実施形態のプリンター１１は、該プリンター１１の外郭形状を規定する樹脂材料からなる本体ケース１２を備えている。本体ケース１２の前面側である前壁部１２ａには本体ケース１２内から本体ケース１２外に記録媒体としての記録用紙Ｐを排出する排紙口１３が開口している。また、排紙口１３の約下半分には記録用紙Ｐを積層収納した用紙カセット１４が差し込まれている。そして、本体ケース１２の上面側となる上壁部１２ｂには複数の操作ボタン（図示略）が設けられると共に、その上壁部１２ｂにおける左右両側縁寄り及び後側縁寄りの複数箇所（本実施形態では４箇所）には平面視矩形状をなす挿脱口１５が設けられている。
【００１８】
図２に示すように、本体ケース１２内には、本体ケース１２の内部空間を上壁部１２ｂの挿脱口１５と個別に対応する位置で鉛直方向に沿って遮断する複数（本実施形態では４つ）の平面視Ｌ字状又は平面視略Ｕ字状（平面視コ字状）の仕切り壁１６が設けられている。そして、これらの仕切り壁１６により、本体ケース１２内には、平面視矩形状をなす中央空間部１７と、該中央空間部１７を左右両側及び後側から包囲する複数（本実施形態では４つ）の部分空間部１８が仕切り形成されている。この点で、仕切り壁１６は、本体ケース１２の内部に騒音源の収容空間部となる中央空間部１７とは別に独立した部分空間部１８を中央空間部１７が包囲される位置となる複数箇所に仕切り形成する仕切り部として機能する。
【００１９】
本実施形態の場合、本体ケース１２の左側の側壁部１２ｃ側に配置された平面視Ｌ字状の仕切り壁１６は、当該仕切り壁１６の内面と本体ケース１２の前壁部１２ａの内面と左側の側壁部１２ｃの内面との間で前後方向に長く延びる平面視矩形状の部分空間部１８を区画形成する。また、本体ケース１２の右側の側壁部１２ｄ側に配置された平面視Ｌ字状の仕切り壁１６は、当該仕切り壁１６の内面と本体ケース１２の前壁部１２ａの内面と右側の側壁部１２ｄの内面との間で前後方向に長く延びる平面視矩形状の部分空間部１８を区画形成する。また、本体ケース１２の後壁部１２ｅ側に配置された平面視略Ｕ字状の２つの仕切り壁１６は、当該各仕切り壁１６の内面と後壁部１２ｅの内面との間で左右方向に長く延びる平面視矩形状の部分空間部１８をそれぞれ区画形成する。
【００２０】
また、図２に示すように、本体ケース１２の中央空間部１７内には、用紙カセット１４から記録を施されるために図示しない搬送機構により搬送される記録用紙Ｐを下方から支持するプラテン１９が本体ケース１２の内底面１２ｆ上に配置されている。プラテン１９の上方には、記録用紙Ｐの搬送方向と直交する左右方向に延びるガイド軸２０が中央空間部１７の左右に配置された仕切り壁１６間に架設されている。ガイド軸２０にはキャリッジ２１が、ガイド軸２０の軸線方向に沿って往復移動可能に支持されている。そして、キャリッジ２１は、例えば駆動モーター及び駆動ベルトなどによって構成される図示しない駆動機構によって、ガイド軸２０の軸線方向に沿って往復移動される。また、キャリッジ２１の下面には、記録用紙Ｐに向かってインクを噴射する記録ヘッド２２が記録機構を構成するべく設けられている。このように、本体ケース１２内の中央空間部１７は、記録用紙Ｐに印刷（記録）を施す記録ヘッド２２等の記録機構や記録用紙Ｐを搬送支持するプラテン１９等の搬送機構からなる騒音源の収容空間部となっている。
【００２１】
一方、図２及び図３に示すように、本体ケース１２における上壁部１２ｂの挿脱口１５には予備の液体収容体としてのインクカートリッジ２３が挿脱可能とされている。そして、これらの挿脱口１５を介して本体ケース１２の各部分空間部１８内にインクカートリッジ２３が着脱可能に装着されるようになっている。すなわち、インクカートリッジ２３は騒音源が配置される中央空間部１７を取り囲む（包囲する）ように位置する複数箇所で本体ケース１２内に装着される。なお、インクカートリッジ２３は樹脂材料からなる矩形箱状のケース２４を備えているとともに、そのケース２４内にはインクが充填されている。したがって、インクカートリッジ２３は、騒音を遮断する遮音材としての機能を発揮し得る。
【００２２】
さらに、図３に示すように、各挿脱口１５には、可撓性素材からなるシール部材２５が環装されている。そして、インクカートリッジ２３が挿脱口１５に挿入されて部分空間部１８内に装着された場合には、シール部材２５により挿脱口１５とインクカートリッジ２３との間の隙間が封止されて挿脱口１５が密閉されるようになっている。この点で、シール部材２５は挿脱口１５に遮音材としてのインクカートリッジ２３を挿入させた場合に挿脱口１５を密閉する密閉手段として機能する。
【００２３】
また、図３に示すように、各仕切り壁１６には、中央空間部１７と各部分空間部１８とを連通する断面円形状の複数（図３では３つ図示）の連通孔２６が鉛直方向に所定間隔をおいて規則的に形成されている。そして、これらの連通孔２６は、中央空間部１７内で発生した騒音を各部分空間部１８側に導くことで各部分空間部１８を共鳴空間とする共鳴現象により特定周波数付近の騒音を減音する機能を有する。
【００２４】
すなわち、本実施形態では、ガイド軸２０に沿って往復移動する際に摺動音を発生するキャリッジ２１や、搬送される記録用紙Ｐを支持面に摺接させることにより摺接音（紙送り音）を発生するプラテン１９などが騒音源とされる。そして、連通孔２６と各部分空間部１８とにより、該各部分空間部１８を背後空気層とした共鳴器が形成され、中央空間部１７内で発生した特定周波数付近の騒音が減音されるようになっている。なお、各仕切り壁１６に形成された複数の連通孔２６の開口径は全て等しくなっており、連通孔２６の形状は、減音させたい騒音の特定周波数に基づいて下記の式により算出される。
【００２５】
ｆ＝（ｃ／２π）√Ｓ／Ｖ・Ｌ
ここで、ｆは減音させたい騒音の周波数、ｃは音速、Ｓは連通孔２６の開口断面積、Ｖは連通孔２６の背後空気層（各部分空間部１８の容積）、Ｌは各仕切り壁１６の厚さである。
【００２６】
また、各仕切り壁１６における連通孔２６の各部分空間部１８側の開口は、グラスウール等の繊維系やポリウレタンフォーム等の多孔質材料からなり全周波数領域の騒音を吸音する吸音材２７により覆蓋されている。吸音材２７は、その寸法が各仕切り壁１６における連通孔２６が形成された領域の寸法に対応しており、その領域上に載置された状態では、全ての連通孔２６の開口を覆うようになっている。
【００２７】
次に、以上のように構成されたプリンター１１の作用について、特にプリンター１１の内部において発生する騒音を抑制する際の作用について、図３に従って説明する。ここで、プリンター１１の本体ケース１２内における各部分空間部１８には、各挿脱口１５を介して４つの予備のインクカートリッジ２３が装着されているものとする。
【００２８】
さて、例えば本体ケース１２の内部で記録用紙Ｐに対する印刷が開始されると、用紙カセット１４から給紙された記録用紙Ｐは搬送機構の搬送ローラー（図示略）の回転に伴ってプラテン１９上の印刷位置に搬送される。このとき、中央空間部１７では、図示しない紙送りモーターの駆動音やプラテン１９の支持面に記録用紙Ｐが摺接することによる摺接音等の騒音が発生する。そして次に、プラテン１９上の印刷位置に搬送された記録用紙Ｐに対して、キャリッジ２１がガイド軸２０に沿って往復移動しながらインクを噴射して印刷が行われる。このとき、キャリッジモーターの駆動音や記録用紙Ｐとプラテン１９との摺接音及びキャリッジ２１の移動に伴う摺動音などの騒音が発生する。そして、記録用紙Ｐへの印刷が終了すると、記録用紙Ｐは排紙口１３に搬送されるとともに、排紙口１３からプリンター１１外に排出される。このとき、中央空間部１７では、図示しない紙送りモーターの駆動音や記録用紙Ｐのプラテン１９に対する摺接音等の騒音が発生する。
【００２９】
このように、プリンター１１において印刷処理が行われる際には、中央空間部１７において様々な騒音が発生する。そして、印刷処理時に中央空間部１７で発生した騒音は、伝播して中央空間部１７内を多方向に向かって拡散する。
【００３０】
中央空間部１７内を拡散した騒音は中央空間部１７を包囲するように形成された部分空間部１８における仕切り壁１６に到達すると、該仕切り壁１６の中央空間部１７側の開口から連通孔２６の内部に進入する。連通孔２６では、該連通孔２６の内部で音が共鳴して摩擦が生じるため、連通孔２６内の空気が激しく振動する。そして、連通孔２６内で特定周波数付近の騒音が熱エネルギーに変換されて減音される。
【００３１】
そして次に、連通孔２６により減音されなかった特定周波数以外の周波数の騒音は、連通孔２６を通過した後、連通孔２６の部分空間部１８側となる開口を覆蓋する吸音材２７により吸音される。
【００３２】
さらに、連通孔２６及び吸音材２７により減音及び吸音されずに部分空間部１８内に進入した騒音は、連通孔２６の軸方向において仕切り壁１６と対向するように配設された予備のインクカートリッジ２３に到達する。ここで、インクカートリッジ２３のケース２４の密度とインクカートリッジ２３内のインクの密度の差は大きいため、内部にインクを収容しているインクカートリッジ２３の音の反射率は大きくなる。したがって、予備のインクカートリッジ２３に到達した騒音の大部分は透過せずに反射して仕切り壁１６に向かって戻る。そして、反射した騒音は再び仕切り壁１６の吸音材２７により吸音されて騒音が中央空間部１７に再進入するのを抑制される。
【００３３】
上記実施形態によれば、以下のような効果を得ることができる。
（１）本実施形態のプリンター１１では、中央空間部１７内の騒音源から多方向に向かって拡散する騒音が本体ケース１２の外部に透過することを、その本体ケース１２の内部において騒音源を包囲するように設けられた複数の部分空間部１８内に配設された予備のインクカートリッジ２３により抑制できる。
【００３４】
（２）本実施形態のプリンター１１では、騒音源から多方向に向かって拡散した騒音を、騒音源を囲むように形成された各部分空間部１８により構成される共鳴空間により効果的に減音することができる。したがって、効果的に騒音を低減することができる。
【００３５】
（３）本実施形態のプリンター１１では、密閉手段がシール部材２５であるため、予備のインクカートリッジ２３を挿脱口１５に挿入することにより、簡便に挿脱口１５を密閉することができる。
【００３６】
（４）本実施形態のプリンター１１では、多孔質材からなる吸音材２７により、中央空間部１７内で発生した騒音が連通孔２６を通過するときに、全周波数領域の騒音が吸音される。したがって、特定周波数付近以外の騒音を効果的に低減することができる。
【００３７】
（５）本実施形態のプリンター１１では、騒音を遮音するための遮音材を既存の予備のインクカートリッジ２３にて兼用できるので、部品数の増加が必要でなくなる。したがって、装置の大型化を抑制しつつ、騒音を低減することができる。
【００３８】
なお、上記実施形態は以下のように変更してもよい。
・様々な孔径の連通孔２６を混在して形成してもよい。この場合、連通孔２６では特定周波数の音に偏ることなく均等に騒音を減音させることができる。
【００３９】
・インクを廃液として回収する予備の廃液回収体を部分空間部１８内に装着させてもよい。また、予備のインクカートリッジ２３を遮音材として用いなくてもよい。
・吸音材２７を連通孔２６の中央空間部１７側の開口に配置しても良い。また、連通孔２６の開口に吸音材２７を設けなくても良い。
【００４０】
・挿脱口１５に対して開閉可能な開閉扉を設けてもよい。この場合、挿脱口１５に予備のインクカートリッジ２３を挿入していないときであっても開閉扉を閉鎖することにより挿脱口１５から部分空間部１８内に埃などが進入することを抑制することができる。
【００４１】
・挿脱口１５に密閉手段を設けなくてもよい。また、騒音を減音する共鳴器の背後空間として予備のインクカートリッジ２３が装着された部分空間部１８を用いずに、本体ケース１２内に共鳴器を設けてもよい。
【００４２】
・上記実施形態では、記録装置をインクジェット式プリンター１１に具体化したが、インク以外の他の液体を噴射したり吐出したりする記録装置を採用してもよい。微小量の液滴を吐出させる液体噴射ヘッド等を備える各種の記録装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。記録装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する記録装置、バイオチップ製造に用いられる生体有機物を噴射する記録装置、精密ピペットとして用いられ試料となる液体を噴射する記録装置、捺染装置やマイクロディスペンサ等であってもよい。さらに、時計やカメラ等の精密機械にピンポイントで潤滑油を噴射する記録装置、光通信素子等に用いられる微小半球レンズ（光学レンズ）などを形成するために紫外線硬化樹脂等の透明樹脂液を基板上に噴射する記録装置、基板などをエッチングするために酸又はアルカリ等のエッチング液を噴射する記録装置を採用してもよい。そして、これらのうちいずれか一種の記録装置に本発明を適用することができる。
【符号の説明】
【００４３】
Ｐ…記録媒体としての記録用紙、１１…記録装置としてのプリンター、１２…本体ケース、１５…挿脱口、１６…仕切り部としての仕切り壁、１７…収容空間部としての中央空間部、１８…部分空間部、２３…遮音材としての予備のインクカートリッジ、２５…密閉手段としてのシール部材、２６…連通孔、２７…吸音材。
【図１】
2011167887.tif 000003
【図２】
2011167887.tif 000004
【図３】
2011167887.tif 000005